(57)【要約】      （修正有）【課題】従来から、遺族の中には、故人ゆかりの指輪などの遺品や残骨などを身近に置き、拝む等して故人を偲びたいと希望する者がいた。しかしながら、市販されている仏具にこれらの収容ケースとして適当なものはなかった。本考案は、故人の遺品や残骨などを収容できる適当な仏具を提供する。【解決手段】位牌１の札３は収容部１７が形成された収容部本体５と、収容部１７を開閉する蓋体２１とから成り、蓋体２１が収容部本体５にスライド自在に取り付けられる。そして、収容部１７には遺品や残骨を収容する。蓋体２１で収容部１７が閉鎖された状態では、収容部１７の存在が外部から視認できない。【選択図】図２
0003126491.tif 000002
【実用新案登録請求の範囲】
【請求項１】
台座と、前記台座に立設される札とから成る位牌において、前記札には遺品等を収容する凹状の収容部が備えられていることを特徴とする位牌。
【請求項２】
請求項１に記載した位牌において、札は収容部が形成された収容部本体と、前記収容部を開閉する蓋体とから成ることを特徴とする位牌。
【請求項３】
請求項２に記載した位牌において、蓋体で収容部が閉鎖された状態では、収容部の存在が外部から視認できないことを特徴とする位牌。
【請求項４】
請求項２または３に記載した位牌において、蓋体は戒名を記載する札の前面部を構成していることを特徴とする位牌。
【請求項５】
請求項２から４のいずれかに記載した位牌において、蓋体が収容部本体にスライド自在に取り付けられることを特徴とする位牌。
【請求項６】
請求項５に記載した位牌において、札は台座に対して着脱自在であり、札の台座に接続される側に蓋体の挿入口が設けられていることを特徴とする位牌。
【考案の詳細な説明】
【技術分野】
【０００１】
本考案は位牌に関するものである。
【背景技術】
【０００２】
位牌は故人の戒名を記した木牌のことであり、故人を象徴するものとして通常は仏壇の中に納められている。
【考案の開示】
【考案が解決しようとする課題】
【０００３】
従来から、遺族の中には、故人ゆかりの指輪などの遺品や残骨などを身近に置き、これを拝む等して故人を偲びたいと希望する者がいた。
しかしながら、市販されている仏具にこれらの収容ケースとして適当なものはなかった。
【０００４】
それ故、本考案は、上記課題を解決するためになされたものであり、故人の遺品や残骨などを収容できる適当な仏具を提供することを目的とする。
【課題を解決するための手段】
【０００５】
本考案は上記課題を解決するためになされたものであり、請求項１の考案は、台座と、前記台座に立設される札とから成る位牌において、前記札には遺品等を収容する凹状の収容部が備えられていることを特徴とする位牌である。
【０００６】
請求項２の考案は、請求項１に記載した位牌において、札は収容部が形成された収容部本体と、前記収容部を開閉する蓋体とから成ることを特徴とする位牌である。
【０００７】
請求項３の発明は、請求項２に記載した位牌において、蓋体で収容部が閉鎖された状態では、収容部の存在が外部から視認できないことを特徴とする位牌である。
【０００８】
請求項４の発明は、請求項２または３に記載した位牌において、蓋体は戒名を記載する札の前面部を構成していることを特徴とする位牌である。
【０００９】
請求項５の発明は、請求項２から４のいずれかに記載した位牌において、蓋体が収容部本体にスライド自在に取り付けられることを特徴とする位牌である。
【００１０】
請求項６の発明は、請求項５に記載した位牌において、札は台座に対して着脱自在であり、札の台座に接続される側に蓋体の挿入口が設けられていることを特徴とする位牌である。
【考案の効果】
【００１１】
本考案の位牌は、故人の遺品や残骨などを収容することができる。従って、故人ゆかりの指輪などの遺品や残骨などを身近に置き、拝む等して故人を偲びたいとの希望を実現することができる。
【考案を実施するための最良の形態】
【００１２】
本考案の実施の形態に係る位牌１を図面にしたがって説明する。
位牌１は札３と台座２９とから成り、札３と台座２９はいずれも木製である。
先ず、札３の構成を説明する。
符号５は収容部本体を示し、この収容部本体５は略長方形の厚板状になっている。収容部本体５の前面７の左右両側および上側の周縁部からは側壁９が、図２に示すように、前方に向かって立ち上がっている。側壁９の内周面１１は、その断面が全周にわたって、側壁９の頂面１０に近いほど壁が厚くなるように傾斜したあり溝状になっている。
前面７の下端面１３側には側壁は存在せず、後述する蓋体２１の挿入口１５として開口している。
【００１３】
符号１７は凹状の収容部を示し、この収容部１７は前面７の中央部分をくり抜いて形成されている。この収容部１７に遺品としての指輪Ｒが収容される。
符号１９は舌片状の差込部を示し、この差込部１９は下端面１３から下方に延びている。
【００１４】
符号２１は蓋体を示し、この蓋体２１は略長方形の薄板状をなしている。蓋体２１の前面２７には戒名Ｋが記載される。即ち、蓋体２１は戒名Ｋを記載する札３の前面部を構成している。
蓋体２１の左右両端および上端の外周面は、その断面が全周にわたって、前面２７に向かって傾斜した傾斜外周面２３となっている。一方、下端面２５は平坦な面となっている。
蓋体２１の左右両端の傾斜外周面２３，２３は、収容部本体５の左右両側の側壁９，９のあり溝状内周面１１にそれぞれスライド自在に係合される。
【００１５】
図２の矢印に示すように蓋体２１を収容部本体５に係合させ上方にスライドさせると、上端の傾斜外周面２３が収容部本体５の上側の側壁９のあり溝状内周面１１に係合される。その状態では、蓋体２１の下端面２５は収容部本体５の下端面１３と略面一状態になる。
また、蓋体２１の前面２７は収容部本体５の前面７に設けられた側壁９の頂面１０と略面一状態になる。
【００１６】
符号２９は台座を示し、この台座２９の上面３１には差込凹部３３が形成されている。差込凹部３３は収容部本体５の差込部１９が差し込まれて嵌り込む寸法に形成されている。
【００１７】
次に、位牌１の使用方法について説明する。
収容部本体５を収容部１７が上方に開口するように横に倒して置き、収容部１７に指輪Ｒを入れる。
次いで、図２の矢印に示すように蓋体２１を挿入口１５から挿入して、蓋体２１の左右両端の傾斜外周面２３，２３を、収容部本体５の左右両側の側壁９，９のあり溝状内周面１１にそれぞれ係合させる。そして、蓋体２１をスライドさせて収容部１７を閉じて、上端の傾斜外周面２３を収容部本体５の上側の側壁９のあり溝状内周面１１に係合させる。これにより札３の組立が完了する。
【００１８】
そして、図２の矢印に示すように、収容部本体５の差込部１９を台座２９の差込凹部３３に差し込んで、下端面１３を台座２９の上面３１に当接させる。これにより、札３が台座２９に接続され、位牌１の組立が完成する。
このように完成した位牌１を仏壇に納める。上記のように位牌１によれば故人の遺品である指輪Ｒを収容することができ、故人ゆかりの指輪Ｒを身近に置き、拝む等して故人を偲びたいとの希望を実現することができる。
【００１９】
また、位牌１は、木製の蓋体２１で収容部１７が閉鎖されており、収容部１７の存在が外部から視認できない。そのため、収容部１７の存在を知られずに済む。
さらに、札３が台座２９に立設した状態では、蓋体２１の下端面２５も台座２９の上面３１に当接されているので、スライド不可能になる。従って蓋体２１を開くには、札３を台座２９から取り外さなければならず、指輪Ｒをむやみに取り出すことはできない。
【００２０】
以上、本考案の実施の形態について詳述してきたが、具体的構成は、この実施の形態に限られるものではなく、本考案の要旨を逸脱しない範囲における設計の変更などがあっても考案に含まれる。
例えば、上記実施の形態では、収容部本体の前面に収容部が設けられているが、本考案はこれに限定されず、裏面に設けられてもよい。位牌に収容する物は指輪等の遺品だけでなく、残骨等であってもよい。
【産業上の利用可能性】
【００２１】
本考案の位牌は収容部を備えており、故人の小物の遺品などを収容するのに適している。
【図面の簡単な説明】
【００２２】
【図１】本考案の実施の形態に係る位牌の斜視図である。
【図２】図１の位牌の分解斜視図である。
【図３】図１の位牌の断面図である。
【符号の説明】
【００２３】
１‥‥位牌                ３‥‥札                ５‥‥収容部本体
７‥‥前面                ９‥‥側壁            １１‥‥あり溝状内周面
１３‥‥下端面            １５‥‥挿入口          １７‥‥収容部
１９‥‥差込部            ２１‥‥蓋体            ２３‥‥傾斜外周面
２５‥‥下端面            ２７‥‥前面            ２９‥‥台座
３１‥‥上面              ３３‥‥差込凹部
Ｋ‥‥戒名                Ｒ‥‥指輪
【図１】
0003126491.tif 000003
【図２】
0003126491.tif 000004
【図３】
0003126491.tif 000005